(57)【要約】本発明は、流体又はガスシステムと、例えばセンサーとの間のプロセス媒体の流れを制御する機械的インターロックマニホールドを提供すると同時に、このような機械的インターロックマニホールドに連通された測定機器の校正、試験、取り替え、又は補修の方法を提供する。【選択図】図１Ｂ
2018537633.tif 000002
【特許請求の範囲】
【請求項１】
流体又はガスシステムと、例えばセンサーとの間のプロセス媒体の流れを制御する機械的インターロックマニホールドであって、
１）前記機械的インターロックマニホールドを前記流体又はガスシステムに接続する少なくとも１つの入口及び少なくとも１つの出口と、
２）例えば流れ図によって示されるように、前記少なくとも１つの入口と前記少なくとも１つの出口との間に延在する、少なくとも１つの連通管と、
３）前記少なくとも１つの連通管の少なくとも一部を開閉する少なくとも２つのバルブと、
４）アクセスポイントを前記少なくとも２つのバルブのそれぞれの頭部で規定する、所定のキー経路と、
５）例えば前記少なくとも２つのバルブの１つの所定の操作手順を設定するため、前記所定のキー経路内を移動可能な１つの取り外し不能な操作キーとを備える、機械的インターロックマニホールド。
【請求項２】
少なくとも１つの通気開口と、
前記少なくとも１つの通気開口を開閉する少なくとも１つのバルブを更に備える、請求項１に記載の機械的インターロックマニホールド。
【請求項３】
１個、２個、３個、４個、又は５個の通気開口と、
前記通気開口を開閉する同数のバルブとを備える、請求項２に記載の機械的インターロックマニホールド。
【請求項４】
少なくとも１つの均圧バルブを備える、請求項２又は請求項３に記載の機械的インターロックマニホールド。
【請求項５】
前記均圧バルブは、前記通気バルブを閉じた後にのみ開くことができる、請求項４に記載の機械的インターロックマニホールド。
【請求項６】
前記均圧バルブが開いているときには前記通気バルブを開くことができない、請求項５に記載の機械的インターロックマニホールド。
【請求項７】
前記バルブは、前記１つの操作キーを回すことによって開閉可能である、上記請求項のいずれか一項に記載の機械的インターロックマニホールド。
【請求項８】
前記バルブの各々は、それぞれ前のバルブを開閉した後に所定の順序でのみ開閉可能な、請求項７に記載の機械的インターロックマニホールド。
【請求項９】
試験機器を連通する少なくとも１つの開口を更に備える、上記請求項のいずれか一項に記載の機械的インターロックマニホールド。
【請求項１０】
前記１つの操作キーを前記機械的マニホールド内に固定し、前記所定のキー経路を画定するロックプレートを更に備える、上記請求項のいずれか一項に記載の機械的インターロックマニホールド。
【請求項１１】
液体又はガスシステムへの組み付け／インターロックに適している、上記請求項のいずれか一項に記載の機械的インターロックマニホールド。
【請求項１２】
分離、通気、均圧、排水及びパージ機能を有するいずれの流れ図においても利用可能な１方、２方、３方、４方、又は５方のマニホールドである、上記請求項のいずれか一項に記載の機械的インターロックマニホールド。
【請求項１３】
少なくとも１つの通気開口と、前記少なくとも１つの通気開口を開閉する少なくとも１つのバルブと、
少なくとも１つの均圧バルブであって、前記通気バルブを閉めた後にのみ開くことができ、前記通気バルブは前記均圧バルブが開いているときには開くことができない、均圧バルブと、
試験機器を連通する少なくとも１つの開口と、
前記１つの操作キーを前記機械的マニホールド内に固定し、前記所定のキー経路を画定するロックプレート６とを更に備える、請求項１に記載の機械的インターロックマニホールド。
【請求項１４】
１個、２個、３個、４個、又は５個の通気開口と、前記通気開口を開閉する同数のバルブとを備える、請求項１３に記載の機械的インターロックマニホールド。
【請求項１５】
前記バルブは、前記１つの操作キーを回すことにより開閉することが可能であり、それぞれ前のバルブを開閉した後に所定の手順でのみ開閉ができる、請求項１３又は請求項１４に記載の機械的インターロックマニホールド。
【請求項１６】
液体又はガスシステムへの組み付け／インターロックに適している、請求項１３から請求項１５のいずれか一項に記載の機械的インターロックマニホールド。
【請求項１７】
分離、通気、均圧、排水及びパージ機能を有しているいずれの流れ図においても利用可能な、１方、２方、３方、４方、又は５方のマニホールドである、請求項１３から請求項１６のいずれか一項に記載の機械的インターロックマニホールド。
【請求項１８】
本発明の機械的インターロックマニホールドと連通した測定装置の校正、試験、取り替え又は補修する方法であって、
ａ）上記請求項のいずれか一項に記載の機械的インターロックマニホールドを液体又はガスシステムに連通する段階と、
ｂ）前記マニホールドの各バルブを所定のキー経路に従って規定された手順で、前記キー経路の各アクセスポイントで前記１つの操作キーを回すことによって開閉する段階と、
ｃ）前記キー経路の終点に到達した後、所望の校正、試験並びに測定装置の取り替え又は補修を行う段階と、
ｄ）前記１つの操作キーが始点に到達するまでの間、所定のキー経路に従って規定された手順の逆の手順によって各アクセスポイントで前記１つの操作キーを回すことで各バルブを開閉する段階とを備える方法。
【請求項１９】
前記キーは、前記アクセスポイントのバルブを開位置又は閉位置に回した後にのみ一方のアクセスポイントから他方のアクセスポイントに動くことができる、請求項１８に記載の方法。
【発明の詳細な説明】
【技術分野】
【０００１】
本発明は、一般にインターロック（interlocking）機構、特に機械的にインターロックさせた機構に関する。
【背景技術】
【０００２】
マルチバルブマニホールド（multivalve manifold）は、共通のマニホールド本体に配置された一般的にはプラグ又はボールバルブである少なくとも２つのバルブを有するものとして定義される。そのようなマルチバルブマニホールドは、圧力、温度、ｐＨ、及び含有量の測定機器のような、配管における圧力及び差圧測定機器と共に通常は使用される。例えば、配管中の流量は配管中で限定的に圧力降下を生じるオリフィスプレートにおいて、圧力を測定することによって測定できる。従って、マルチバルブマニホールドはオリフィスと圧力測定機器との間に接続される。
【発明の概要】
【発明が解決しようとする課題】
【０００３】
多くのマルチバルブマニホールドが当該技術分野では知られており、マルチバルブマニホールドと接続された配管及び／又は測定装置の損傷を防止するために、それぞれ通常の又は好ましい標準のバルブの操作方法を有する。しかしながら、標準の操作方法は非常に容易に混乱し、不適切な操作がしばしば生じる。
【０００４】
標準の操作方法では、まずセンサーの両側又はトランスデューサーの両側の圧力を分離し、続いてガスの除去を行う必要がある。他のバルブは例えばトランスデューサーの校正、試験及びサービス作業を行うための圧力ラインに接続する。不適切な操作を最小限にするために、バルブを開閉できる手順を制限するいくつかのマニホールドが開発されている。そのようなマニホールドでは、規定された手順によって異なるバルブの開閉が許容される。例えば、開位置及び閉位置を示す適切なラベルを備えるバルブ間の安全なインターロックシステムが使用できる。しかしながら、ラベルは不適切な操作を積極的に防止するものではない。
【０００５】
他のマルチバルブマニホールドは、バルブハンドル、ステム、又はそれらの両方が選択的に取り外される配置を含んだものである、ハンドル又はステム保護システムを含み、当該選択的な取り外しでは、それぞれのバルブの開／閉を行うために特別な工具（例えば、六角レンチ）が必要とされる。このことは、バルブ装置への即時のアクセスを妨げる。更に、特殊な工具を使用する必要があることは、取り付け間違いの可能性があり、この点で不十分である。
【０００６】
他のマルチバルブマニホールドでは、各バルブの正しい開閉指示を維持することを目的とした特定のバルブロック機構が使用されている。しかしながら、前記バルブロックが確実でない場合には、結果が重篤となる可能性がある。更に、通常このようなマニホールドは比較的複雑な構造を有し、操作及びメンテナンスを複雑にする。
【０００７】
従って、安全で、使用が簡単であり、操作中の人的エラーを防止する改良されたマルチバルブマニホールドに対する要求が長きにわたって存在する。従って、今般発明されたマルチバルブマニホールドは、従来技術の装置の全ての欠点を克服し、重要で長い要求に対する助けとなり満足させることを意図している。
【課題を解決するための手段】
【０００８】
本発明は、プロセスとセンサーとの間のプロセス媒体（process medium）を制御するための機械的インターロックマニホールド（mechanical interlocked manifold）１００を提供し、当該機械的インターロックマニホールド１００は、（１）少なくとも１つの入口１２と、（２）少なくとも１つの出口３１と、（３）流れ図３０によって示されるように前記少なくとも１つの入口１２と前記少なくとも１つの出口３１との間に延在する少なくとも１つの連通管（interconnecting passageway）と、（４）前記少なくとも１つの連通管の少なくとも一部を開閉する、少なくとも２つのバルブ１９，２０と、（５）アクセスポイント（access points）を前記少なくとも２つのバルブ１９，２０のそれぞれの頭部に規定する、所定のキー経路４０と、（６）前記少なくとも２つのバルブ１９，２０の１つの所定の操作手順を設定するためのように、前記所定のキー経路４０内を移動することができる１つの取り外し不能な操作キー１１とを備える。
【０００９】
ある実施形態では、本発明は、流体又はガスシステムと、例えばセンサーとの間のプロセス媒体流れを制御する機械的インターロックマニホールド１００を提供し、当該機械的インターロックマニホールドは、（１）前記機械的インターロックマニホールド１００を前記流体又はガスシステムに接続するための、少なくとも１つの入口１２及び少なくとも１つの出口３１と、（２）例えば流れ図３０によって示されるように、前記少なくとも１つの入口１２と前記少なくとも１つの出口３１との間に延在する少なくとも１つの連通管と、（３）前記少なくとも１つの連通管の少なくとも一部を開閉する、少なくとも２つのバルブ１９，２０と、（４）アクセスポイントを前記少なくとも２つのバルブ１９，２０のそれぞれの頭部に規定する、所定のキー経路４０と、（５）例えば少なくとも２つのバルブ１９，２０の１つの所定の操作手順を設定するため、前記所定のキー経路４０内を移動可能である１つの取り外し不能な操作キー１１とを備える。
【００１０】
本発明は更に、本発明による機械的インターロックマニホールド１００に連通された測定機器の校正、試験、取り替え又は補修の方法を提供し、当該方法は、（ａ）本発明による機械的インターロックマニホールド１００を液体又はガスシステムに連通する段階と、（ｂ）所定のキー経路４０に従って規定された手順によって、前記キー経路の各アクセスポイントで前記１つの操作キー１１を回すことにより、前記マニホールド１００の各バルブの閉／開を行う段階と、（ｃ）前記キー経路４０の終点に到達した後、所望の校正又は試験、並びに測定装置の取り替え又は補修を行う段階と、（ｄ）前記１つの操作キー１１が前記キー経路４０の始点に到達するまでの間、それぞれのアクセスポイントで前記１つの操作キーを回すことにより、所定のキー経路４０に従って規定された手順の逆の手順で各バルブを開／閉を行う段階とを備える。
【００１１】
本発明は、添付の図面を参照して、次の本発明の、ある実施形態であって限定しない説明を読むことで、より良く理解されるだろう。
【図面の簡単な説明】
【００１２】
【図１Ａ】本発明による５方マルチバルブマニホールドの「閉」位置の正面図。
【図１Ｂ】本発明による５方マルチバルブマニホールドの「閉」位置の斜視図。
【図１Ｃ】本発明による５方マルチバルブマニホールドの「閉」位置の側面図。
【図１Ｄ】本発明による５方マルチバルブマニホールドの「閉」位置の底面図。
【図２Ａ】本発明による５方マルチバルブマニホールドの「開」位置の正面図。
【図２Ｂ】本発明による５方マルチバルブマニホールドの「開」位置の斜視図。
【図３Ａ】本発明によるマルチバルブマニホールドに使用される１つの接合可能なキーの模式図。
【図３Ｂ】本発明によるマルチバルブマニホールドに使用される１つの接合可能なキーの模式図。
【図４Ａ】本発明による２方マルチバルブマニホールドの「閉」位置の正面図。
【図４Ｂ】本発明による２方マルチバルブマニホールドの「閉」位置の斜視図。
【図４Ｃ】本発明による２方マルチバルブマニホールドの「閉」位置の側面図。
【図５Ａ】本発明による３方マルチバルブマニホールドの「閉」位置の正面図。
【図５Ｂ】本発明による３方マルチバルブマニホールドの「閉」位置の斜視図。
【図５Ｃ】本発明による３方マルチバルブマニホールドの「閉」位置の側面図。
【図６Ａ】本発明による別の構成の３方マルチバルブマニホールドの「閉」位置の正面図。
【図６Ｂ】本発明による別の構成の３方マルチバルブマニホールドの「閉」位置の斜視図。
【図６Ｃ】本発明による別の構成の３方マルチバルブマニホールドの「閉」位置の側面図。
【発明を実施するための形態】
【００１３】
本発明は、マルチバルブマニホールド（multivalve manifolds）の誤操作の問題の解決を目的とする。従って、本発明は、プロセスとセンサーとの間のプロセス媒体を制御する機械的インターロックマニホールド１００を提供する。前記マニホールドは、（１）少なくとも１つの入口１２と、（２）少なくとも１つの出口３１と、（３）例えば、前記マニホールド１００上に、例えば彫刻、レーザー焼き入れ、又は貼り付けられているような流れ図３０によって示されるように、前記少なくとも１つの入口と前記少なくとも１つの出口との間に延在する、少なくとも１つの連通管と、（４）前記少なくとも１つの連通管の少なくとも一部を開閉するための少なくとも２つのバルブ１９，２０と、（５）アクセスポイントを前記少なくとも２つのバルブ１９，２０のそれぞれで規定している、所定のキー経路４０と、（６）例えば前記少なくとも２つのバルブ１９，２０に、１つの所定の操作手順を設定するため、前記所定のキー経路４０内で移動可能な１つの取り外し不能な操作キー１１とを備える。
【００１４】
別の実施形態では、本発明は、流体又はガスシステムと、例えばセンサーとの間のプロセス媒体の流れを制御するための機械的インターロックマニホールド１００を提供する。当該機械的インターロックマニホールド１００は、（１）前記機械的インターロックマニホールド１００を前記流体又はガスシステムと接続する、少なくとも１つの入口１２及び少なくとも１つの出口３１と、（２）例えば流れ図３０によって示されるように、前記少なくとも１つの入口１２と前記少なくとも１つの出口３１との間に延在する少なくとも１つの連通管と、（３）前記少なくとも１つの連通管の少なくとも一部を開閉するための少なくとも２つのバルブ１９，２０と、（４）アクセスポイントを前記少なくとも２つのバルブ１９，２０のそれぞれの頭部で規定する、所定のキー経路４０と、（５）例えば前記少なくとも２つのバルブ１９，２０に、１つの所定の操作手順を設定するため、前記所定のキー経路４０内で移動可能である１つの取り外し不能な操作キー１１とを備える。
【００１５】
ある実施形態では、本発明による機械的マニホールド１００は、流動する物質の少なくとも１つのシステムをセンサーに連通するために使用される。このような流動する物質とは例えば流体又はガス、並びに流体状態にある固体又はガスであり得る。
【００１６】
特定の実施形態では、本発明による機械的インターロックマニホールド１００は、少なくとも１つの通気開口５及び前記少なくとも１つの通気開口５を開閉するための少なくとも１つのバルブ２２，２３を更に備える。
【００１７】
ある実施形態では、本発明による機械的インターロックマニホールド１００は１個、２個、３個、４個、５個、６個、７個、８個、９個、１０個、又はそれ以上の入口を備える。従って、当該実施形態においては、機械的インターロックマニホールド１００は、それぞれ１個、２個、３個、４個、５個、６個、７個、８個、９個、１０個、又はそれ以上の出口を備える。特定の実施形態では、示されるように、機械的インターロックマニホールド１００は、前記少なくとも１つの入口と前記少なくとも１つの出口との間に延在する１個、２個、３個、４個、５個、６個、７個、８個、９個、１０個、又はそれ以上の連通管を備え得る。
【００１８】
ある実施形態では、本発明による機械的インターロックマニホールド１００は、２個、３個、４個、５個、６個、７個、８個、９個、１０個、又はそれ以上のバルブを備える。
【００１９】
ある実施形態では、前記所定のキー経路４０は、ユーザにフェールセーフかつ正しい操作方法である所定の手順を経るよう強制させ、それにより人的エラーを回避できるように設計されている。本発明による所定のキー経路４０は、以前の経験又は知識に依存することなく、本発明による機械的インターロックマニホールド１００でそのような所定の手順を実行することも可能にする。
【００２０】
ある実施形態では、前記機械的インターロックマニホールド１００の前記少なくとも２つのバルブ１９，２０のそれぞれの頭部は、前記所定のキー経路４０で画定される経路に沿って配置され、アタッチメントでもある１つの操作キー１１の頭部５０は、前記少なくとも２つのバルブ１９，２０，２１，２２，２３の各々の前記頭部に適合するように設計されている。
【００２１】
更に別の特定の実施形態では、前記機械的インターロックマニホールド１００の前記少なくとも２つのバルブ１９，２０，２１，２２，２３の各々は、その前のバルブを回す前には、バルブの開状態又は閉状態のどちらにも回すことができない。例えば、マニホールドの全てのバルブが閉まっている閉状態から始めるユーザは、第２のバルブが開かれる前には第３のバルブを開ける手順に移ることができず、第１のバルブが開かれる前には、前記第２のバルブを開けることができない。また、その逆も同様である。このことは、バルブ上の前記操作キー１１を回すことなく通路を阻止及び妨げること、並びに例えば意図的にシステムを妨害しようとする場合等、そのような外部のキーの回転を妨げる適切な他の機構によって、達成可能である。
【００２２】
ある実施形態では、本発明による機械的インターロックマニホールド１００の前記少なくとも２つのバルブ１９，２０は、前記１つの操作キーが前記バルブの頭部に届き、これらが接続した後回転することによって開閉することができる。「回転」という用語は、バルブの閉位置から開位置へ、またその逆の、任意の所定の角度を回すことを意味する。あるいは、前記少なくとも２つのバルブ１９，２０は、バルブの頭部を押し、再度押す又は上下に動かす又は左右に動かすことのような他の適切な構成によって開閉可能である。特定の実施形態では、前記少なくとも２つのバルブ１９，２０の各々は、それぞれ前のバルブを開閉した後に所定の手順でのみ開閉することができる。
【００２３】
更に別の実施形態では、前記１つの取り外し不能な操作キー１１は、機械的インターロックマニホールド１００から取り外しできず、また、引き抜けない。そして前記所定のキー経路４０に沿って動くことのみが可能である。
【００２４】
ある実施形態では、本発明による機械的インターロックマニホールド１００は、少なくとも１つの通気開口５及び前記少なくとも１つの通気開口５を開閉するための、少なくとも１つの追加のバルブ２２，２３を更に備える。これらの通気開口は、例えばシステム中の液体が、例えば前記マニホールド１００に接続された測定装置に曝される前にシステムに蓄積されたガスを放出するように設計されている。このようなガスは前記測定装置に損傷を与える可能性があるためである。特定の実施形態では、機械的インターロックマニホールド１００は、１個、２個、３個、４個、５個、６個、７個、８個、９個、１０個、又はそれ以上の通気開口を備える。従って、その実施形態において機械的インターロックマニホールド１００は、前記通気開口のそれぞれを開閉するために１個、２個、３個、４個、５個、６個、７個、８個、９個、１０個、又はそれ以上のバルブを備える。
【００２５】
ある実施形態では、本発明による機械的インターロックマニホールド１００は、少なくとも１つの均圧バルブ（equalizing valve）２１を更に備える。このような均圧バルブの目的は、マニホールドに接続された測定装置が、損傷を与えられ得る不適切な圧力に曝される前に、システム及び／又はマニホールド１００に蓄積された圧力を解放することである。特定の実施形態では、機械的インターロックマニホールド１００は、圧力が均等になるために必要な接続されるパイプ／チューブの数に応じて、１個、２個、３個、４個、５個、６個、７個、８個、９個、１０個、又はそれ以上の均圧バルブを備える。
【００２６】
よって、ある実施形態では、本発明による機械的インターロックマニホールド１００の均圧バルブ２１は、前記通気バルブ２２，２３を閉じた後にのみ開くことができる。従って、更に本発明の実施形態では、前記均圧バルブ２１が開いているときに、前記通気バルブ２２，２３を開くことができない。
【００２７】
ある実施形態では、
【００２８】
ある実施形態では、例えば前記マニホールド１００に連通された計測装置のように、本発明による機械的インターロックマニホールド１００は、センサー／テスター、並びに計測又は測定に必要とされる、その他の試験又は測定機器を連通するための少なくとも１つの開口２を更に備える。特定の実施形態では、機械的インターロックマニホールド１００は、１個、２個、３個、４個、５個、６個、７個、８個、９個、１０個、又はそれ以上の開口を備える。
【００２９】
ある実施形態では、本発明によるマニホールド１００と連通された前記測定装置は、圧力、温度、特定ガス含有量及び／又は濃度、流動性、粘度、濃度及び流量を測定するように設計されている。
【００３０】
ある実施形態では、本発明による機械的インターロックマニホールド１００は、ロックプレート（locking plate）６を更に備え、前記１つの操作キー１１を前記機械的マニホールド１００の所定の位置に固定し、前記所定のキー経路４０を画定する。前記ロックプレート６は例えばメンテナンスの目的又は固定のため、手動で取り外すことができる。
【００３１】
ある実施形態では、前記ロックプレート６はマニホールド１００から前記１つの一体化したキー１１の取り外しを防止するように設計されており、それによりマニホールドの意図しない又は意図的な不動作を防止している。
【００３２】
ある実施形態では、前記１つの操作キー１１は、本発明による機械的インターロックマニホールド１００の安全かつ正しい操作を確保する強制的な手順を確実に行わせるため、前記１つの操作キー１１を所定のキー経路４０から取り外すことなく、所定のキー経路４０内をスライドするよう構成されている。その結果、連通された測定装置の適切な操作及び有効性は、ヒューマンインタフェース（human interface）によることなく、ゆえに、いかなる人的エラーも防止する。
【００３３】
ある実施形態では、本発明による機械的インターロックマニホールド１００は、例えば壁、パイプ、又は必要に応じたどのような場所にも前記機械的インターロックマニホールド１００の取り付け／固定を可能にする、少なくとも１つの壁固定手段１３を更に備える。前記機械的インターロックマニホールド１００は、更に又はあるいは、例えばねじ、バンデロール（banderole）の前記機械的インターロックマニホールド１００を被試験システムに固定及び／又は取り付けを可能にする、少なくとも１つのシステム固定手段１３’を備えてもよい。
【００３４】
ある実施形態では、本発明による機械的インターロックマニホールド１００は、液体又はガスシステムへの組み付け及び／又はインターロックに適している。特定の実施形態では、前記機械的インターロックマニホールド１００は、いくつかの液体又はガスシステムと、並びに、少なくとも１つのガスシステム及び少なくとも１つの液体システムの組み合わせからなるシステムとを同時にインターロックさせてもよい。
【００３５】
ある実施形態では、本発明による機械的インターロックマニホールド１００は、分離、通気、均圧、排水、及びパージ機能を有するどのような流れ図においても利用可能である１方、２方、３方、４方、５方、６方、７方、８方、９方、１０方、又はそれ以上のマニホールドである。
【００３６】
特定の実施形態では、流体又はガスシステムと例えばセンサーとの間のプロセス媒体の流れを制御する本発明による機械的インターロックマニホールド１００は、（１）前記機械的インターロックマニホールド１００を前記流体又はガスシステムに接続する少なくとも１つの入口１２及び少なくとも１つの出口３１と、（２）例えば流れ図３０に示されるように、前記少なくとも１つの入口１２と前記少なくとも１つの出口３１との間に延在する少なくとも１つの連通管と、（３）前記少なくとも１つの連通管の一部を開閉するための少なくとも２つのバルブ１９，２０と、（４）アクセスポイントを前記少なくとも２つのバルブ１９，２０のそれぞれの頭部に規定する所定のキー経路４０と、（５）例えば前記少なくとも２つのバルブ１９，２０の１つの所定の操作手順を設定するため、前記所定のキー経路４０内で移動可能な１つの取り外し不能な操作キー１１と、（６）少なくとも１つの通気開口５及び前記少なくとも１つの通気開口５を開閉するための少なくとも１つのバルブ２２，２３と、（７）前記通気バルブ２２，２３を閉じた後にのみ開くことが可能で、更に前記通気バルブ２２，２３は均圧バルブ２１が開いているときには開くことができない少なくとも１つの均圧バルブ２１と、（８）試験機器を連通する少なくとも１つの開口２と、（９）前記１つの操作キー１１を前記機械的マニホールド１００に係止し、前記所定のキー経路４０を画定するロックプレート６とを備える。
【００３７】
別の特定の実施形態では、上記機械的インターロックマニホールド１００は、１個、２個、３個、４個、又は５個の通気開口と、前記通気開口を開閉する同数のバルブとを備える。
【００３８】
更に別の特定の実施形態では、本発明による機械的インターロックマニホールド１００のバルブは、前記１つの操作キー１１を回すことにより開閉することができ、それぞれ前のバルブが閉じた後又は開いた後の所定の指示でのみ開閉が可能である。
【００３９】
特定の実施形態では、上述した機械的インターロックマニホールド１００は、液体又はガスシステムへの組み付け／インターロックに適している。
【００４０】
更に別の特定の実施形態では、上述した機械的インターロックマニホールド１００は、分離、通気、均圧、排水及びパージ機能を有するいずれの流れ図で利用可能である１方、２方、３方、４方、又は５方のマニホールドである。
【００４１】
本発明は、本発明による機械的インターロックマニホールド１００に連通された計測及び／又は試験及び／又は測定装置における測定、試験、取り替え又は補修の方法を更に提供する。前記方法は、（ａ）まず、本発明の機械的インターロックマニホールド１００を液体又はガスシステムに連通する段階、（ｂ）前記マニホールド１００の各バルブのアクセスポイントを有する所定のキー経路４０に従って規定された手順で前記キー経路４０内のそれぞれの前記アクセスポイントで１つの操作キー１１を回すことにより、各バルブを開閉する段階、（ｃ）前記キー経路４０の終点に到達した後、所望の校正、試験、並びに計測装置の取り替え又は修理を行う。（ｄ）１つの前記操作キー１１が始点に達するまでの間、それぞれのアクセスポイントで前記１つの操作キー１１を回すことにより、前記所定のキー経路４０に従って規定された逆の順序で前記マニホールド１００のそれぞれのバルブを開閉する。
【００４２】
ある実施形態では、前記１つの操作キー１１は、それに応じて、前記アクセスポイントのバルブを開状態又は閉状態へ回した後にのみ前記所定のキー経路４０に沿ってアクセスポイントから次のアクセスポイントへ移動することができる。
【００４３】
ある実施形態では、本発明によるマニホールド１００及びその異なる構成要素は、金属、金属合金、プラスチック、異なるポリマー等、又はそれらの任意の組み合わせのようないずれの適切な材料から製造され得る。マニホールド１００及びその構成要素は、例えば成形、彫刻、ブロー成形等のようないずれの既存の技術で製造されても良く、異なる構成要素同士は例えばねじ、溶着、又はいずれの他の適切な方法で組み付けられても良い。
【００４４】
本発明を、以下の限定されない例及び具体的なマルチバルブ機械的マニホールド構造によって示す。
【００４５】
（１つの取り外し不能な操作キー１１）
図３Ａ及び図３Ｂは、本発明のいくつかの実施形態における１つの取り外し不能な操作キー１１を示す。図で見られるように、キー１１は、その長尺なハンドル５１より幅の広い頭部５０を有し、それにより、本発明による機械的マニホールド１００と組み合わせられている際、ロックプレート６の所定のキー経路４０からのキー１１の抜け落ちを防止している。
【００４６】
キーの頭部５０は、本発明による機械的マニホールド１００のバルブの頭部に適合するように設計された特有の彫刻及び／又は突出部及びスロットを有する。更に、キー１１は前記バルブの頭部を包み込むように設計されているため、ユーザはバルブを開状態又は閉状態にすることができ、その後にのみ、キー１１をバルブの頭部から取り外すことができ、次のバルブへと所定のキー経路４０に沿って動くことができる。
【００４７】
ある実施形態では、操作キー１１は「Ｔ」字形である。あるいはハンドルバーは、円形又はエンドユーザが所望する他の形であっても良い。特定の実施形態では、操作キー１１は、２つの別々の部品、例えば（ｉ）取り外し不能である頭部５０及び長尺なハンドル５１からなる部品と、（ｉｉ）必要なときに前記長尺なハンドル５１に接続可能なハンドルバーとを備えている。
【００４８】
（２方マルチバルブ機械的マニホールド）
図４Ａ〜図４Ｃは、本発明の一実施形態による２方マニホールド１００を示している。当該２方マニホールド１００は、（ｉ）１つの取り外し不能な操作キー１１と、（ｉｉ）所定のキー経路４０と、前記１つの取り外し不能な操作キー１１を定位置に保持し、前記１つの取り外し不能な操作キー１１を前記所定のキー経路４０内で動くことを可能にするロックプレート６と、（ｉｉｉ）１つの入口１２及び１つの出口３１と、（ｉｖ）前記ロックプレート６の外側部分にレーザー彫刻された流れ図３０に示されるように、前記１つの入口１２と前記１つの出口３１との間に延在する１つの連通管と、（ｖ）前記連通管を開閉する１つのバルブ１９と、（ｖｉ）測定装置を連通するための１つの開口２と、（ｖｉｉ）１つの通気開口５及び当該１つの通気開口５を開閉するための追加のバルブ２２であって、前記キー経路４０が両方のバルブにおいて１つの所定の操作順序を設定している追加のバルブ２２と、（ｖｉｉｉ）前記機械的インターロックマニホールド１００を被試験システムに固定及び／又は取り付けを可能にする、１つのシステム固定手段１３’を備える。
【００４９】
（３方マルチバルブ機械的マニホールド）
図５Ａ〜図５Ｃ及び図６Ａ〜図６Ｃは、本発明のいくつかの実施形態による機械的３方マニホールド１００の２つの構成を示しており、前記マニホールド１００は、（ｉ）１つの取り外し不能な操作キー１１と、（ｉｉ）所定のキー経路４０を有するロックプレート６であって、前記１つの取り外し不能な操作キー１１を定位置に保持し、前記所定のキー経路４０内を移動可能にしているロックプレート６と、（ｉｉｉ）２つの入口１２，１２’及び１つの出口３１と、（ｉｖ）前記ロックプレート６の外側部分にレーザー彫刻された流れ図３０で示されるように、前記入口と前記出口との間に延在する１つの連通管と、（ｖ）前記連通管を開閉する２つのバルブ１９，２０と、（ｖｉ）壁固定具（wall mount）１３と、（ｖｉｉ）差圧測定装置と前記キー経路４０は、全てのバルブの１つの所定の動作順序を設定しており、前記差圧測定装置を開閉する追加のバルブ２２とを連通するための２つの開口２と、（ｖｉｉｉ）機械的インターロックマニホールド１００を被試験システムに固定及び／又は取り付けを可能にする１つのシステム取り付け手段１３’とを備える。
【００５０】
（４方マルチバルブ機械的マニホールド）
本発明の一実施形態による機械的４方マニホールドは、（ｉ）１つの取り外し不能な操作キー１１と、（ｉｉ）所定のキー経路４０を有するロックプレート６であって、前記１つの取り外し不能な操作キー１１を定位置に保持及び前記所定のキー経路４０内を移動可能としているロックプレート６と、（ｉｉｉ）２つの入口１２，１２’及び１つの出口３１と、（ｉｖ）前記ロックプレート６の外側部分にレーザー彫刻された流れ図３０で示されるように、前記入口と前記出口との間に延在する１つの連通管と、（ｖ）前記連通管を開閉する２つのバルブ１９，２０と、（ｖｉ）壁固定具１３と、（ｖｉｉ）測定装置を連通するための２つの開口２と、（ｖｉｉｉ）前記キー経路４０は、４つ全てのバルブの１つの所定の操作手順を設定しており、２つの通気開口５及び前記２つの通気開口５を開閉する、２つの追加のバルブとを備える。
【００５１】
（５方向マルチバルブ機械的マニホールド）
図１及び図２は本発明の一実施形態による機械的マニホールド１００を示しており、当該機械的マニホールド１００は、（ｉ）１つの取り外し不能な操作キー１１と、（ｉｉ）所定のキー経路４０を有するロックプレート６であって、前記１つの取り外し不能な操作キー１１を定位置に保持し、キー経路４０内を移動可能にしているロックプレート６と、（ｉｉｉ）２つの入口１２，１２’及び１つの出口３１と、（ｉｖ）前記ロックプレート６の外側部分にレーザー彫刻された流れ図３０に示されるように前記入口１２，１２’と１つの出口３１との間に延在する２つの連通管と、（ｖ）前記連通管を開閉する３つのバルブ１９，２０，２１と、（ｖｉ）壁固定具１３と、（ｖｉｉ）測定装置を連通するための２つの通気開口５（１つはマニホールドの両側にある）（ｖｉｉｉ）２つの通気開口５（１つはマニホールドの両側にある）と、前記キー経路４０は、５つ全てのバルブに１つの所定の操作手順を設定しており、前記通気開口５を開閉する２つの通気バルブ２２，２３とを備え、（ｉｘ）被試験システムに前記機械的インターロックマニホールド１００を固定及び／又は取り付けを可能にする２つのシステム取り付け手段１３’とを備える。
【図１Ａ】
2018537633.tif 000003
【図１Ｂ】
2018537633.tif 000004
【図１Ｃ】
2018537633.tif 000005
【図１Ｄ】
2018537633.tif 000006
【図２Ａ】
2018537633.tif 000007
【図２Ｂ】
2018537633.tif 000008
【図３Ａ−３Ｂ】
2018537633.tif 000009
【図４Ａ】
2018537633.tif 000010
【図４Ｂ】
2018537633.tif 000011
【図４Ｃ】
2018537633.tif 000012
【図５Ａ】
2018537633.tif 000013
【図５Ｂ】
2018537633.tif 000014
【図５Ｃ】
2018537633.tif 000015
【図６Ａ】
2018537633.tif 000016
【図６Ｂ】
2018537633.tif 000017
【図６Ｃ】
2018537633.tif 000018
【国際調査報告】
2018537633.tif 000019
2018537633.tif 000020
2018537633.tif 000021